(57)【特許請求の範囲】
【請求項１】
シート材に画像を形成する画像形成部と、
原稿を読み取る画像読取部と、
前記画像読取部と前記画像形成部とを電気的に接続するケーブルと、
前記ケーブルを前記画像形成部に接続するため前記画像形成部に設けられたコネクタ部と、
を有し、前記画像読取部が軸回りに回動することで前記画像形成部に対して開閉可能となる画像形成装置であって、
前記ケーブルは前記軸の近傍で画像読取部側の部分と画像形成部側の部分とに折り返され、前記ケーブルの画像形成部側の部分は、前記軸から離れる方向に沿って設けられ前記コネクタ部に接続されており、
前記画像形成部には、前記ケーブルの画像形成部側の部分及び前記コネクタ部を覆い、前記ケーブルと装置外部の空間との距離を確保するためのケーブルカバーが着脱自在に設けられ、
前記ケーブルカバーは、前記画像読取部が前記画像形成部に対して閉じられた状態では取り外しできず、前記画像読取部が前記画像形成部に対して開かれた状態では前記軸から離れる方向であって、前記ケーブルの画像形成部側の部分に沿うように取り外し可能であることを特徴とする画像形成装置。
【請求項２】
前記ケーブルの画像形成部側の部分は、前記画像形成部における前記画像読取部と対向する部分に略沿って設けられ、前記画像形成部における前記画像読取部と対向する部分に略沿った方向において、前記コネクタ部に接続されていることを特徴とする請求項１に記載の画像形成装置。
【請求項３】
前記コネクタ部が設けられた基板を前記画像形成部に有し、
前記コネクタ部に対する前記ケーブルの着脱方向は前記基板の面に対して直角であることを特徴とする請求項１又は２に記載の画像形成装置。
【請求項４】
前記ケーブルカバーと前記画像形成部との間には、前記ケーブルカバーを前記軸に対し
て近づける方向に移動させることにより係合し、前記ケーブルカバーを前記軸から離れる方向に移動させることにより係合が解除される差込係合部が設けられていることを特徴とする請求項１乃至３のいずれか１項に記載の画像形成装置。
【請求項５】
前記画像形成部にはレールが設けられ、前記レールに移動自在に係合するレール係合部が前記ケーブルカバーには設けられていることを特徴とする請求項１乃至４のいずれか１項に記載の画像形成装置。
【請求項６】
前記ケーブルカバーは装置の外装を兼ねていることを特徴とする請求項１乃至５のいずれか１項に記載の画像形成装置。
【請求項７】
前記ケーブルカバーは、前記ケーブルの画像形成部側の部分を前記画像読取部と対向する方向で覆う部分と、前記ケーブルの画像形成部側の部分を前記画像読取部と対向する方向に垂直な方向で両側から覆う部分を有することを特徴とする請求項１乃至６のいずれか１項に記載の画像形成装置。
【請求項８】
前記画像読取部を前記画像形成部に対して閉じた状態で前記画像形成部と前記画像読取部が対向する方向からみると、前記ケーブルの画像読取部側の部分と前記ケーブルの画像形成装置側の部分とが重ならないようになっていることを特徴とする請求項１乃至７のいずれか１項に記載の画像形成装置。
【発明の詳細な説明】
【技術分野】
【０００１】
本発明は、原稿の画像を読み取る画像読取部と、シート材に画像を形成する画像形成部を備えた画像形成装置に関する。
【背景技術】
【０００２】
従来から、デジタル複写機、ファクシミリ、またはそれらとプリンタとを組合わせた複合機（ＭＦＰ）などの画像形成装置として、プリンタ部とスキャナ部とが分割されてユニット化されたものが知られている。スキャナ部の操作のために、通常は、スキャナ部が画像形成部の上部に配置された構成をとっている。プリンタ部はシート材に画像を形成する画像形成手段を有し、スキャナ部は原稿の画像を読み取る画像読取手段を有する。
【０００３】
このような画像形成装置においては、メンテナンスやシート材の詰まり処理（ジャム処理）、プロセスカートリッジの交換などの作業を容易にするために、プリンタ部に対してスキャナ部が開閉可能に構成されている。これらのプリンタ部とスキャナ部は、ケーブルにより電気的に接続されている。
【０００４】
たとえば、複写機においては、原稿圧板に原稿用紙のオートフィーダ（ＡＤＦ）を有するシートスルー式のスキャナ部が、フラットべッド式のスキャナ部を有するプリンタ部に対して開閉するものが知られている。このような複写機では、スキャナ部とプリンタ部を結ぶ電線類が、装置背面でケーブルにより連結され、剥き出しの状態になっている。
【０００５】
このようにスキャナ部とプリンタ部をつなぐケーブルが画像形成装置外部に露出していると、外観上好ましくなく、さらに、ユーザが誤ってケーブル類を引っ張り、破損させてしまう可能性もある。また、静電気による電気部品破損の可能性もある。静電気対策のために、シールドケーブルを使用する方法もあるが、デザイン的に好ましくない。
【０００６】
このようなケーブルの露出の問題を解決する手段として、例えば、特許文献１に記載されたような画像形成装置が知られている。
この特許文献１に記載の画像形成装置は、図１１に示すように、スキャナ部１００とプリンタ部１０２とを有し、スキャナ部１００がヒンジ部１０１を介してプリンタ部１０２に開閉自在に連結されている。
【０００７】
プリンタ部１０２の内部には、画像形成手段として、感光体ドラム１０４を含む現像カートリッジ１０５が設けられている。感光体ドラム１０４には、レーザ露光装置１０６によって、スキャナ部１００で読み込まれた画像情報が静電像として書き込まれ、現像カートリッジ１０５により現像されてトナー画像が形成される。このトナー画像がシート材収納カセット１０６から給紙されるシート材Ｐに転写され、定着装置１０７にて加圧、加熱されて定着されるようになっている。
【０００８】
メンテナンス時には、ヒンジ部１０１を中心にスキャナ部１００を回転させて開き、スキャナ部１００とプリンタ部１０２の開口部から、プリンタ部１０２の内部にアクセスして各種作業が行われる。
スキャナ部１００とプリンタ部１０２はケーブル１０３によって電気的に連結されている。このケーブル１０３は、ヒンジ部１０１の近傍に設けられた筒状部材１１０内に配線され、ケーブル類を画像形成装置内に収めるようになっている。
【特許文献１】特開２００５−２５８０２５号公報
【発明の開示】
【発明が解決しようとする課題】
【０００９】
しかしながら、特許文献１に記載の構造では、ケーブル１０３をヒンジ部１０１近傍の筒状部材１１０の内部に配線するという構造上、下記のような問題があった。
【００１０】
ケーブル１０３が筐体と一体の筒状部材１１０内部に納められているので、スキャナ部１００とプリンタ部１０２の組立や分解作業においては、ケーブル１０３をその都度を筒状部材１１０から外さなければならない。しかし、ヒンジ部１０１近くの狭い空間で、ケーブル１０３を筒状部材１１０から外す作業は困難である。また、ケーブル１０３を覆っている部品類の合体及び取り外しという繁雑な作業を余儀なくされ、作業性が悪いという問題があった。
【００１１】
一方、ケーブル１０３が覆われているのは、回動軸を有するヒンジ部１０１付近のみで、ケーブル１０３が接続される電気基板はプリンタ部１０２の内部に配置されている（図示せず）。そのため、ヒンジ部１０１近くの筒状部材１１０から装置内部の電気基板までの間のケーブルの露出を防ぎ、静電気対策を行うためには、電気基板に至るまでの間、別の被覆手段を設ける必要がある。
【００１２】
本発明の目的は、画像読取部と画像形成部間のケーブルの露出を防ぎ、しかもケーブルへのアクセスが容易で、組立作業や分解作業の作業性向上とメンテナンスの容易化を実現し得る画像形成装置を提供することにある。
【課題を解決するための手段】
【００１３】
上記目的を達成するため、本発明は、シート材に画像を形成する画像形成部と、原稿を読み取る画像読取部と、前記画像読取部と前記画像形成部とを電気的に接続するケーブルと、前記ケーブルを前記画像形成部に接続するため前記画像形成部に設けられたコネクタ部と、を有し、前記画像読取部が軸回りに回動することで前記画像形成部に対して開閉可能となる画像形成装置であって、前記ケーブルは前記軸の近傍で画像読取部側の部分と画像形成部側の部分とに折り返され、前記ケーブルの画像形成部側の部分は、前記軸から離れる方向に沿って設けられ前記コネクタ部に接続されており、前記画像形成部には、前記ケーブルの画像形成部側の部分及び前記コネクタ部を覆い、前記ケーブルと装置外部の空間との距離を確保するためのケーブルカバーが着脱自在に設けられ、前記ケーブルカバーは、前記画像読取部が前記画像形成部に対して閉じられた状態では取り外しできず、前記画像読取部が前記画像形成部に対して開かれた状態では前記軸から離れる方向であって、前記ケーブルの画像形成部側の部分に沿うように取り外し可能であることを特徴とする。
【発明の効果】
【００１４】
本発明によれば、画像読取部と画像形成部間のケーブルの露出を防いで静電気対策を行うことができ、しかもケーブルへのアクセスが容易で、組立作業や分解作業の作業性向上とメンテナンスの容易化を実現することができる。
【発明を実施するための最良の形態】
【００１５】
以下に、本発明を図示の実施例に基づいて詳細に説明する。
【実施例１】
【００１６】
図１、図２、図５及び図６は、本実施例１に係る画像形成装置の基本的な構成を示している。図１は本発明の実施例１に係る画像形成装置の開状態の全体構造を示す斜視図、図２は図１の画像形成装置を背面側から見た一部破断斜視図、図５は図１の装置の閉状態の
背面図、図６は図１の装置の開状態の背面図である。
図において、１Ａは画像形成装置全体を示すもので、この画像形成装置１Ａは、原稿を読み取る画像読取部としてのスキャナ部１と、シート材に画像を形成する画像形成部としてのプリンタ部２と、を有している。
【００１７】
プリンタ部２の内部には、特に図示しないが、画像形成手段として、従来と同様に、感光体ドラムを含む現像カートリッジを備えている。感光体ドラムには、レーザ露光装置によって、スキャナ部で読み込まれた画像情報が静電像として書き込まれ、現像カートリッジにより現像されてトナー画像が形成される。このトナー画像がシート材収納カセットから給紙されるシート材に転写され、定着装置にて加圧、加熱されて定着されるようになっている。もっとも、画像形成手段としては、このような感光体ドラムを用いるものに限らず、シート材にインクの液滴を付着させて画像を形成するようなプリンタでもよく、要するにシート材上に画像を形成するものであればよい。
【００１８】
スキャナ部１はプリンタ部２の上部に配置され、ヒンジ部３を回動中心として、プリンタ部２に対して回動させて開閉する構成となっている。このスキャナ部１をプリンタ部２に対して相対的に上方に回動させて開くことにより、スキャナ部１とプリンタ部２間の開口部からプリンタ部２の内部にアクセスすることが可能になる。不図示の現像カートリッジの交換やジャム処理などを行う場合には、スキャナ部１を上方に開き、スキャナ部１とプリンタ部２の開口部から、プリンタ部２の内部にアクセスして行うようになっている。
【００１９】
スキャナ部１は、フラットベッド式スキャナ部１ａと、原稿圧板に原稿のオートフィーダ（ＡＤＦ）を有するシートスルー式スキャナ部１ｂとから構成されている。スキャナ部１は、ヒンジ部３ａ，３ｂの回動軸を中心にプリンタ部２に対して所定の角度だけ開閉可能に設けられている。ヒンジ部の符号については、図１では、左右のヒンジ部を区別して３ａ，３ｂと付しているが、以下の記載で、特に区別しない場合には、添字ａ，ｂを付さないで、単にヒンジ部３と表記するものとする。
【００２０】
ヒンジ部３の回動軸は、プリンタ部２及びスキャナ部１を水平に置いた際に水平となる軸である。このヒンジ部３の近傍には、スキャナ部１の開閉動作をサポートするダンパ機構（図示せず）が設置されている。
【００２１】
スキャナ部１とプリンタ部２とは、ケーブル４により電気的に接続されている。ケーブル４の一端はスキャナ部１に設けられた電気基板（図示せず）に、ケーブル４の他端がプリンタ部２に設けられた電気基板（図示せず）に接続される。これにより、スキャナ部１とプリンタ部２の間において電気信号の送受信が行われ、たとえば、スキャナ部１により読み取られた画像情報がプリンタ部２に送信される。
【００２２】
プリンタ部２には、図５，図６に示すように、コネクタ部７が設けられている。このコネクタ部７に、ケーブル４の一端に設けられたケーブル端子４１が着脱自在に接続される。
【００２３】
コネクタ部７は、図７に拡大して示すように、プリンタ部２の背面側に配設された電気基板である中継基板５に設けられている。中継基板５は、プリンタ部２の内部背面側に配設されており、シールド部材（図示せず）などの部品から上方に一部が突出している。この突出部５ａのヒンジ部３と対向する側にコネクタ部７が設けられている。
【００２４】
突出部５ａには、中継基板５およびコネクタ部７を組立時やメンテナンス時における別部品との接触や塵埃から保護するために、コネクタカバー８が設けられている。コネクタカバー８には、ケーブル４をコネクタ部７に着脱するときの妨げにならないように、ヒン
ジ部３側に向かって開く開口部９が設けられている。
コネクタカバー８の形状は、図７の形状に対して、図３に示すように、開口部９が上方に広げられたような形状となっていてもよく、特に限定されるものではない。
【００２５】
ケーブル４、中継基板５の突出部５ａおよびコネクタ部７は、プリンタ部２に対してスキャナ部１を閉じた閉状態においては、図５に示すように、画像形成装置１Ａ内部に収まった状態になる。
【００２６】
次に、プリンタ部２とスキャナ部１とを接続するケーブル４のはい回し構成について説明する。
ケーブル４は、スキャナ部１の回動中心であるヒンジ部３の回動軸の近傍であって画像形成装置１Ａの内部側で、画像読取部側の部分であるスキャナ部側のケーブル部分４ａと画像形成部側部分であるプリンタ部側のケーブル部分４ｂとに折り返されている。ケーブル４のプリンタ部側のケーブル部分４ｂは、ヒンジ部３の回動軸から離れる方向に配線されてコネクタ部７に至る構成となっている。また、スキャナ部側のケーブル部分４ａも、ヒンジ部３の回動軸から離れる方向に配線されて、スキャナ部１に設けられたコネクタ部７に接続される。ただし、スキャナ部側のケーブル部分４ａの配線はこれに限られるものではなく、ケーブル４がヒンジ部３の回動軸の近傍で折り返される構成であればよい。
【００２７】
プリンタ部側のケーブル部分４ｂは、中継基板５のコネクタ部７に対して直角に挿入され、スキャナ部１の回動中心であるヒンジ部３の回動軸側に水平方向に伸長される。さらに、ケーブル４は、ヒンジ部３の回動軸の近傍の折り返し部４ｃにおいて１８０度向きを変えられ、スキャナ部側のケーブル部分４ａにつながっている。このスキャナ部側のケーブル部分４ａも、スキャナ部１の分割面となる底面に沿ってヒンジ部３から離れる方向に伸びている。そして、スキャナ部側の端子４２が、スキャナ部１におけるコントロール基板（図示せず）等の電気基板に接続される。
【００２８】
このように、ケーブル４を、プリンタ部２の中継基板５の基板面に対して直角になるように接続させ、プリンタ部側のケーブル部分４ｂをプリンタ部２の開口面に対して水平に配線している。これにより、ケーブル４のはい回しに必要な上下方向のスペースを最小限にすることが可能となっている。
【００２９】
また、図８に示すように、ケーブル４のスキャナ部側のケーブル部分４ａとプリンタ部側のケーブル部分４ｂが、上下方向に重ならないように、ヒンジ部３の回転軸に対して直交方向にオフセットさせてもよい。
ヒンジ部３の回転軸に対して直交方向は、この実施例では、ユーザの使用状態に基づいた方向で記載すると、前後方向に対応する。オフセット量（Ｗ）は、プリンタ部２およびスキャナ部１の寸法に基づいて、最適な値となるように適宜設定可能である。
【００３０】
ケーブル４をオフセットさせて折り返すことにより、上下方向のスペースを節約することができる。また、スキャナ部１を開閉させる時に、ケーブル４を曲げるのみならず、ねじる動きを持たせることができるので、スキャナ部１の開閉を繰り返した時にケーブル４へのストレスを小さくすることができる。
【００３１】
本発明の特徴は、プリンタ部２に、コネクタ部７及びケーブル４を覆うケーブルカバー１０を、着脱自在に設けたものである。この実施例では、ケーブルカバー５は、ケーブル４のうち、スキャナ部１からコネクタ部７に至る部分、すなわち、ケーブルの折り返し部４ｃと、プリンタ部側のケーブル部分４ｂを覆う構成となっている。図３に示すように、コネクタ部７がコネクタカバー８で覆われている場合には、コネクタカバー８まで全体を覆う構成としている。
【００３２】
また、ケーブル４、中継基板５の突出部５ａおよびコネクタ部７は、プリンタ部２に対してスキャナ部１を閉じた閉状態においては、図５に示すように、ケーブルカバー５に覆われ、画像形成装置１Ａ内部に収まった状態になる。このとき、ケーブルカバー５は、プリンタ部２に対する着脱が禁止されている。したがって、閉状態においては、ケーブルカバー５によってケーブル４と外部空間との距離を確保でき、静電気による電気部品の損傷を防止することができる。
プリンタ部２に対してスキャナ部１を開いて開状態にすると、図６に示すように、ケーブルカバー５は、プリンタ部２に対して取り外し可能となる。したがって、開状態においては、ケーブルカバー５を取り外しさえすれば他に外装部品や周囲の部品を取り外すことなく、ケーブル４をコネクタ部７に対して着脱させることができる。
【００３３】
図３は、このケーブルカバー１０の取り外し状態を示す部分斜視図、図４は図３のケーブルカバー１０を反対側から見た斜視図である。
ケーブルカバー１０は、外側板部１０ａと、外側板部１０ａとの所定の間隔を隔てて設けられる内側板部１０ｂと、外側板部１０ａと内側板部１０ｂの上縁部間を連結する上板部１０ｃとを備えた構成となっている。
【００３４】
ケーブルカバー１０の外側板部１０ａと内側板部１０ｂ間の間隔は、コネクタ部７を覆うコネクタカバー８を収納可能な間隔に設定される。ケーブルカバー１０の高さは、ケーブル４の折り返し部４ｃを覆う高さに設定されている。
【００３５】
ケーブル４は、電気基板が装着される装置の背面側に片寄せて配設されており、ケーブルカバー５の外側板部１０ａは、図２，図３及び図５に示すように、装置の外装である背面カバー２１の一部を兼ねている。
【００３６】
この実施例では、プリンタ部２の背面カバー２１の上端部に、ケーブルカバー１０の分だけ切欠き２２が設けられている。切欠き２２は水平端縁２２ａと、コネクタ側の垂直端縁２２ｂと、それらの間を繋ぐ円弧形状端縁２２ｃを有している。
【００３７】
背面カバー２１は、左右のカバー２１ａ、２１ｂに分割されており、切欠き２２は、左右のカバー２１ａ，２１ｂに跨って設けられている。この切欠き２２にケーブルカバー１０の外側板部１０ａが嵌まり込み、ケーブルカバー５の外側板部１０ａの表面が背面カバー２１の表面とほぼ面一に構成される。
【００３８】
外側板部１０ａは、ヒンジ部３に対して直交方向に延びる横長矩形状の板状部で、そのコネクタ側端縁１０ａ３は、垂直端縁と垂直端縁から円弧状に延びた円弧形状端縁とからなっている。このコネクタ側端縁１０ａ３は、切欠き２２の垂直端縁２２ｂと円弧形状端縁２２ｃに接するか近接するように構成されている。
また、外側板部１０ａのコネクタ側端縁１０ａ３の上端部近傍には、固定用ねじ穴１０ｄが設けられている。この例では、固定用ネジ穴１０ｄは、コネクタ側端縁１０ａ３と上側縁１０ａ１との角部付近に設けられている。
【００３９】
内側板部１０ｂは、屈曲部１０ｂ１を介して、ヒンジ部側部分１０ｂ２と、コネクタ側部分１０ｂ３に区分され、ヒンジ部側部分１０ｂ２がコネクタ部側部分１０ｂ３よりも内側に張り出している。コネクタ部側部分１０ｂ３の上半部１０ｂ４が外側板部１０ａとの間隔が下方に向かって幅広となるように傾斜する傾斜面、下半部１０ｂ５が垂直面となっている。
スキャナ部１が閉じた際には、折り返されたスキャナ部側のケーブル部分４ａは、上板部１０ｃの上面に沿って収納される。
【００４０】
ケーブルカバー１０は、プリンタ部２に対して、スキャナ部１を開いた状態でスキャナ部１の回動中心であるヒンジ部３の回動軸から離れる方向に移動可能に支持されている。
この実施例では、ケーブルカバー１０とプリンタ部２との間に、ケーブルカバー１０をヒンジ部３の回動軸から離れる方向に移動させることにより互いに離脱する差込係合部１３が設けられている。この差込係合部１３は、ケーブルカバー１０をヒンジ部３の回動軸に対して近づける方向に移動させることにより互いに係合する。
【００４１】
差込係合部１３は、図４（Ａ）に示すように、ケーブルカバー１０の外側板部１０ａと内側板部１０ｂそれぞれのヒンジ部側端部に設けられた差込凸部１１ａ，１１ｂと、プリンタ部２側に設けられた差込受け部１２ａ，１２ｂとによって構成されている。ケーブルカバー１０の外側板部１０ａと内側板部１０ｂのヒンジ部側端部には、たとえば、図４（Ｂ）に示すように、差込凸部１１ａ，１１ｂが突出する基部１１ａ１，１１ｂ１が設けられている。
【００４２】
差込凸部１１ａ，１１ｂと差込受け部１２１，１２ｂは、ケーブルカバー１０がヒンジ部３の回動軸に対して近づく方向に移動して差込まれ、離れる方向に移動して離脱するように構成されている。図示例では差込凸部１１ａ，１１ｂはヒンジ部３側に向けて矩形状に突出しており、差込受け部１２ａ，１２ｂは凹形状となっている。
【００４３】
図３の矢印Ａは、ケーブルカバー５の取り外し方向を示している。同図に示すように、スキャナ部１を開いた状態で、スキャナ部１の開閉支点軸となるヒンジ部３の回動軸から離れる方向に取り外される、すなわち、ヒンジ部３の回転中心に対して直交する方向に取り外される。
この例では、ケーブルカバー１０の外側板部１０ａは、背面カバー２１の切欠き２２にはまりこむ構成なので、取り外し方向Ａは、垂直端縁２２ｂに沿って持ち上げられた後にその上端角部を乗り越えるように、水平線に対して所定角度斜め上方である。
【００４４】
固定する際には、ケーブルカバー１０の差込凸部１１ａ，１１ｂを差込受け部１２ａ，１２ｂに差し込むことで、ヒンジ部側端部が支持され、コネクタ部側の端部がねじ１０ｅでプリンタ部２に固定される。差込凸部１１と差込受部１２との嵌合によって、ケーブルカバー５におけるヒンジ部側端部の上下方向と左右方向（ヒンジ部３の回動軸に対して平行方向）の位置決めがなされる。
取り外しの際には、固定端部７のねじ１０ｅを１つ外し、ケーブルカバー１０をヒンジ部３から離れる方向に移動させることにより、差込凸部１１が受け部１２から外れる。このとき、スリット２２の垂直端縁２２ｂの上端角部は、コネクタ側端縁１０ａ３の円弧形状端縁に沿ってスムーズに乗り越えることができる。
【００４５】
したがって、スキャナ部１の開閉角度が転倒防止のために制限されていても、ケーブルカバー５をケーブル４とほぼ平行に、かつヒンジ部３の回動軸から離れる方向に引き出すことにより容易に取り外すことができる。
【００４６】
上記構成の画像形成装置においては、スキャナ部１を開くことで、プリンタ２内部へのアクセスが可能になり、現像カートリッジ（ＣＲＧ）の交換や、シート材のジャム処理、メンテナンス作業等を行う。
ケーブル４を外す場合には、スキャナ部１を開いた状態で、まず、ケーブルカバー１０を外し、次いで、コネクタ部７からケーブル４の端子４１を抜き取る。また、ケーブル４を接続する場合には、スキャナ部１を開いた状態で、ケーブル４の端子４１をコネクタ部７に差込み、ケーブルカバー５を取り付ければよい。したがって、外装部品や周囲の部品を取り外すことなくケーブル４を着脱することができる。
【００４７】
ケーブルカバー５の着脱作業において、ケーブルカバー５によってケーブル４と外部空間との距離を確保でき、静電気による電気部品の損傷を防止することができる。また、スキャナ部１の開閉支点となるヒンジ部３の回動軸付近からコネクタ部７に至るまでの静電気対策は、ケーブルカバー５の部品一つで行うことができる。したがって、スキャナ部１の着脱作業における操作性も向上し、コスト面でも有利になる。さらに、ケーブルカバー５を取り外す際にも、ケーブル４に干渉することなくケーブルカバー５を取り外すことができ、組立作業も容易である。
【実施例２】
【００４８】
図９及び図１０は、本発明の実施例２に係る画像形成装置のケーブルカバーの支持構造を示している。画像形成装置全体構成は、実施例１と同様であるため説明を省略する。
【００４９】
ケーブルカバー１０の構成は基本的に実施例１と同一であり、以下の説明では主として支持機構について説明し、同一の構成部分については、同一の符号を付して説明を省略するものとする。
【００５０】
この実施例２では、ケーブルカバー１０とプリンタ部２の間に、プリンタ部２に設けられた互いに平行の一対のレール３１ａ，３１ｂと、ケーブルカバー１０に設けられるボス３２ａ，３２ｂとが設けられている。ボス３２ａ，３２ｂがレール３１ａ、３１ｂに沿って移動自在に係合されるレール係合部を構成する。レール３１ａ、３１ｂは、ヒンジ部３に対して直交する方向に互いに平行に敷設されている。ボス３１ａ，３１ｂは、ケーブルカバー１０の、外側板部１０ａと内側板部１０ｂのヒンジ部側の端部に突設されており、レール３１ａ，３１ｂに設けられた長手方向に延びる長孔に移動自在に係合している。ケーブルカバー１０を取り付けた状態は、図２及び図５と同様であり、コネクタ側端部の固定部をネジによりプリンタ部２に固定する構成となっている。
【００５１】
図９の矢印Ａ、Ｂは、ケーブルカバー１０の取り外し方向を示している。すなわち、ケーブルカバー１０のコネクタ側端部の固定ネジを外し、ケーブルカバー１０をボス３２ａ，３２ｂを中心に、コネクタ側端部を上方に回転させる（図中矢印Ｂ方向）。それと同時に、ボス３２ａ，３２ｂをレール３１ａ，３１ｂに沿って、ヒンジ部３の回動軸から離れる方向（図中Ａ方向）に移動させる。
【００５２】
本実施例２においては、ケーブルカバー１０の移動方向が、Ａ方向及びＢ方向の２方向となるため、スキャナ開閉角度がより小さい構成にも対応できる。また、ケーブルカバー１０のボス部３２ａ、３２ｂは、レール３１ａ，３１ｂによって案内されるので、容易に取り付け位置に達し、作業性もよい。
【００５３】
なお、この発明は上記各実施例に限定されるものではなく、この発明の趣旨を逸脱しない範囲において、各種の変形が可能である。例えば、プリンタ部の上部にスキャナ部を開閉可能に設けた構成を採用したが、この発明の技術的思想に基づいて相対的に逆の構成を採用することも可能である。すなわち、スキャナ部に対してプリンタ部を上部に配置するような構成を採用しても良い。
【図面の簡単な説明】
【００５４】
【図１】本発明の実施例１に係る画像形成装置の開状態の全体構造を示す斜視図である。
【図２】図１の画像形成装置を背面側から見た一部破断斜視図である。
【図３】図１の画像形成装置のケーブルカバーの取り外し状態を示す部分斜視図である。
【図４】（Ａ）は図３のケーブルカバーを反対側から見た斜視図、（Ｂ）は（Ａ）の部分斜視図である。
【図５】図１の装置の閉状態での背面図である。
【図６】図１の装置の開状態での背面図である。
【図７】図６のコネクタ部とケーブル端子の関係を示す要部拡大断面図である。
【図８】図１のケーブルの水平方向の折り返し例を示す上面図である。
【図９】図８の本発明の実施例２に係る画像形成装置に用いられるケーブルカバーの構成例を示す斜視図である。
【図１０】図９のケーブルカバーを反対側から見た斜視図である。
【図１１】従来技術に係る画像形成装置を示す断面図である。
【符号の説明】
【００５５】
１  スキャナ部（画像読取部）
２  プリンタ部（画像形成部）
３，３ａ，３ｂ  ヒンジ部
４  ケーブル
４ａ  スキャナ部側のケーブル部分
４ｂ  プリンタ部側のケーブル部分
４ｃ  折り返し部
７  コネクタ部
１０  ケーブルカバー
【図１】
0004537466.tif 000002
【図２】
0004537466.tif 000003
【図３】
0004537466.tif 000004
【図４】
0004537466.tif 000005
【図５】
0004537466.tif 000006
【図６】
0004537466.tif 000007
【図７】
0004537466.tif 000008
【図８】
0004537466.tif 000009
【図９】
0004537466.tif 000010
【図１０】
0004537466.tif 000011
【図１１】
0004537466.tif 000012